(57)【要約】【課題】基板側コネクタに対しケーブル側コネクタを回動可能に接続し、配線部品の損傷を抑制するとともに、配線レイアウトの自由度を高める。【解決手段】パチンコ機において、裏機構板３の背面にボックス６を取り付け、ボックス６に外部中継基板５を収納する。屈曲型コネクタ１８の第１コネクタ素子２８と第２コネクタ素子２９とを軸３０で回動可能に連結する。外部中継基板５の基板側コネクタ１６に第１コネクタ素子２８を接続し、第２コネクタ素子２９にケーブル側コネクタ１９を接続する。ケーブル２０を外部中継基板５と払出制御基板との間に配線し、別のケーブル２０を外部中継基板５と遊技島設備側の機器との間に配線する。【選択図】　　　　図４
2004113556.tif 000002
【特許請求の範囲】
【請求項１】
機体の背面に回路基板を取り付け、回路基板に基板側コネクタを設け、ケーブルにケーブル側コネクタを設け、基板側コネクタとケーブル側コネクタとの間に屈曲型コネクタを介装し、屈曲型コネクタを回動可能に連結された一対のコネクタ素子で構成し、一方のコネクタ素子を基板側コネクタに接続し、他方のコネクタ素子をケーブル側コネクタに接続し、ケーブルを回路基板と他の機器との間に配線したことを特徴とする遊技機。
【請求項２】
回路基板をボックスに収納し、ボックスを機体の背面に取り付け、ボックスの蓋部に窓孔を形成し、窓孔から基板側コネクタを露出させ、基板側コネクタに屈曲型コネクタの一方のコネクタ素子を接続した請求項１に記載の遊技機。
【請求項３】
ボックスを機体に対し回動可能に取り付けた請求項２に記載の遊技機。
【請求項４】
回路基板に基板側コネクタを下向きに設け、基板側コネクタに屈曲型コネクタの一方のコネクタ素子を上向きに接続し、屈曲型コネクタの他方のコネクタ素子をボックスの下側で機体の前後方向へ回動可能に配置した請求項２又は３に記載の遊技機。
【請求項５】
回路基板が、複数の機器の間で信号を中継する中継基板である請求項１〜４の何れか一項に記載の遊技機。
【請求項６】
回路基板が、特定の機器を制御する制御基板である請求項１又は２に記載の遊技機。
【請求項７】
機体の外郭を形成する外枠の背面上部に外部中継基板を取り付け、外部中継基板に基板側コネクタを下向きに設け、ケーブルにケーブル側コネクタを設け、基板側コネクタとケーブル側コネクタとの間に屈曲型コネクタを介装し、屈曲型コネクタを回動可能に連結された一対のコネクタ素子で構成し、一方のコネクタ素子を基板側コネクタに上向きに接続し、他方のコネクタ素子を外部中継基板の下側で機体の前後方向へ回動可能に配置し、他方のコネクタ素子にケーブル側コネクタを接続し、ケーブルを外部中継基板と機内機器との間、及び外部中継基板と機外機器との間に配線したことを特徴とする遊技機。
【請求項８】
外部中継基板をボックスに収納し、ボックスを外枠の背面上部に取り付け、ボックスの蓋部に機体後方へ開口する窓孔を形成し、窓孔から基板側コネクタを下向きに露出させ、基板側コネクタに屈曲型コネクタの一方のコネクタ素子を上向きに接続し、屈曲型コネクタの他方のコネクタ素子をボックスの下側で機体の前後方向へ回動可能に配置した請求項７に記載の遊技機。
【発明の詳細な説明】
【０００１】
【発明の属する技術分野】
本発明は、機体の背面に回路基板を取り付けた遊技機に関するものである。
【０００２】
【従来の技術】
遊技球を発射して遊技を行う遊技機においては、一般に、回路基板を用いて大部分の装置を電子制御している。例えばパチンコ機では、遊技全般を統括制御する主制御基板、賞球又は貸球の払い出しを制御する払出制御基板、図柄表示器の図柄変動を制御する図柄制御基板、発射機構を制御する発射制御基板、機内機器と遊技島設備側の機外機器との間で信号を中継する外部中継基板など、多種類の回路基板が用いられている。これらの回路基板は、通常、機体の背面に取り付けられ、基板側コネクタにケーブル側コネクタを接続して、その回路基板と別の機器との間にケーブルを配線している。
【０００３】
この種の遊技機として、従来、下記の特許文献に記載された技術が知られている。
【特許文献１】特開平９−７１４号公報。
【特許文献２】特開平１１−１２８４９６号公報。
【特許文献３】特開２００１−１３７５０７号公報。
【０００４】
特許文献１には、機体の背面側において、外枠の上部に基板収納部を形成し、基板収納部の縦溝に外部中継基板を挿入し、外部中継基板に複数の基板側コネクタを機体後方（遊技島設備側）に突設し、基板側コネクタにケーブル側コネクタを接続し、機内配線用のケーブルを外部中継基板と機体下部の他の機器との間に配線するとともに、機外配線用のケーブルを外部中継基板と遊技島設備側の機器との間に配線する技術が開示されている。
特許文献２には、機体に固定した基板設置部材に、ケーブル側コネクタを移動不能に固定するとともに、基板ボックスを回動可能に取り付け、基板ボックスに回路基板を収納し、基板ボックスの回動操作により基板側コネクタをケーブル側コネクタに着脱する技術が開示されている。
特許文献３には、ケーブル側コネクタに爪を設け、基板側コネクタに孔を形成し、爪を孔に掛止し、この掛止部分をカバーで外側から覆い、両コネクタを外部操作により分離不能に結合する技術が開示されている。
【０００５】
【発明が解決しようとする課題】
ところで、遊技店では、営業時間外に、遊技機を入れ替えたり、機内機器を点検したり、営業時間内には、遊技島設備と機内の遊技球タンクとの間の球循環通路で球詰まりを解消したりするなど、各種の保守点検作業が行われる。こうした作業は遊技機の前枠を開放して裏機構板の背面側で行われるが、そこには多数本のケーブルが縦横に配線されているため、作業中に作業者が誤ってケーブルを引っ掛けることがよくある。従来の遊技機によると、基板側コネクタとケーブル側コネクタとの接続方向が一定であるため、それと異なる方向へケーブルが引っ張られた場合に、ケーブルにつながる一連の配線部品に無理な力が作用し、これらの部品が損傷するおそれがあった。また、両コネクタの接続方向が一定であると、ケーブルを無理な方向へ引き回す必要があって、配線レイアウトの自由度が低下するという不具合もあった。
【０００６】
例えば、特許文献１の遊技機によると、外部中継基板の基板側コネクタが機体後方に向けて突設されているため、外部中継基板の下側で作業者がケーブルを引っ掛けると、下向きの張力でケーブルがコネクタに対し直角に折れ曲がったり、基板側コネクタが無理に引き下げられて変形したり、その接続導体（ピン）の半田付け部分が回路基板から剥がれたりするおそれがあり、特に、基板側コネクタの破損程度によっては、回路基板の全体を交換する必要もあった。また、基板側コネクタが後方に突設されていると、機外ケーブルは無理なく配線できるが、機体下部又は機体内側の機器に向かう機内ケーブルはコネクタに対し直角又はそれ以上の角度で折り曲げて無理に配線しなければならなかった。
【０００７】
特許文献２の遊技機の場合は、ケーブル側コネクタが基板設置部材に固定されているため、作業者がケーブルを引っ掛けると、回路基板に無理な力は作用しないが、ケーブルがコネクタとの接続部分で折れ曲がり、ときには断線する可能性があった。また、ケーブル側コネクタの向きが一定であるから、接続先機器の位置によっては、ケーブルの引き回しに無理が生じることもあった。
特許文献３の遊技機の場合は、ケーブル側コネクタと基板側コネクタとが掛止爪で分離不能に結合されているため、作業者がケーブルを引っ掛けると、特許文献１と同様、ケーブルが折れ曲がったり、基板側コネクタが変形又は破損したりするなどの問題点があった。また、保守点検に際し両方のコネクタを切り離す必要がある回路基板には不向きであった。
【０００８】
そこで、本発明の目的は、基板側コネクタに対しケーブル側コネクタを回動可能に接続し、配線部品の損傷を抑制できるとともに、配線レイアウトの自由度を向上できる遊技機を提供することにある。
【０００９】
【課題を解決するための手段及び作用・効果】
上記の課題を解決するために、請求項１の発明による遊技機は、機体の背面に回路基板を取り付け、回路基板に基板側コネクタを設け、ケーブルにケーブル側コネクタを設け、基板側コネクタとケーブル側コネクタとの間に屈曲型コネクタを介装し、屈曲型コネクタを回動可能に連結された一対のコネクタ素子で構成し、一方のコネクタ素子を基板側コネクタに接続し、他方のコネクタ素子をケーブル側コネクタに接続し、ケーブルを回路基板と他の機器との間に配線したことを特徴とする。
【００１０】
ここで、回路基板は、機体の背面において、その基板の機能に適した位置に取り付けられる。例えば、機体が、その外郭を形成する外枠と、遊技盤の裏側に各種機器を取り付ける裏機構板とを備える場合、回路基板を外枠の背面に取り付けてもよく、裏機構板の背面に取り付けてもよい。また、回路基板を外枠や裏機構板の背面に、直接取り付けてもよく、専用の設置部材を介して取り付けてもよく、固定的に取り付けてもよく、回動可能に取り付けてもよい。基板側コネクタ及びケーブル側コネクタは、どちらが雄型又は雌型でもよく、両方共に雄型又は雌型でもよい。屈曲型コネクタの一対のコネクタ素子には、基板側又はケーブル側コネクタと雌雄逆の型式のものが用いられる。
【００１１】
上記構成の遊技機によれば、ケーブル側コネクタが屈曲型コネクタを介して基板側コネクタに接続されるので、作業者が誤ってケーブルを引っ掛けた場合には、屈曲型コネクタの他方のコネクタ素子が張力作用方向へ回動し、ケーブルの折れ曲がりを防止する。また、ケーブルに大きな張力が作用した場合には、ケーブルが他方のコネクタ素子と一直線となっているので、ケーブル側コネクタが他方のコネクタ素子から容易に引き抜かれる。従って、ケーブルにつながる一連の配線部品に無理な力が作用せず、これらの部品の損傷を抑制することができる。また、ケーブル側コネクタが基板側コネクタに回動可能に接続されているため、ケーブルを回路基板に対しどの方向からでも接続できて、配線レイアウトの自由度が向上する。
【００１２】
請求項２の発明による遊技機は、回路基板をボックスに収納し、ボックスを機体の背面に取り付け、ボックスの蓋部に窓孔を形成し、窓孔から基板側コネクタを露出させ、基板側コネクタに屈曲型コネクタの一方のコネクタ素子を接続したことを特徴とする。この構成によれば、回路基板上の電子回路をボックスで覆って、損傷や塵埃から保護することができる。また、回路基板がボックスを介して機体に取り付けられるので、回路基板に取付用の加工を不要にできるとともに、回路基板の交換作業を容易にできる利点もある。
【００１３】
請求項３の発明による遊技機は、ボックスを機体に対し回動可能に取り付けたことを特徴とする。この場合、回路基板の取り付けには、軸部材、蝶番、フック、自在継手など、適宜の取付手段を使用することができる。回路基板の回動方向は、機体の前後方向、又は左右方向、或いは前後・左右の２方向を例示できる。こうすれば、ケーブルが引っ張られたときに、屈曲型コネクタ及び回路基板の両方が回動するため、配線部品の損傷をより効果的に抑制することができる。
【００１４】
請求項４の発明による遊技機は、回路基板に基板側コネクタを下向きに設け、基板側コネクタに屈曲型コネクタの一方のコネクタ素子を上向きに接続し、屈曲型コネクタの他方のコネクタ素子をボックスの下側で機体の前後方向へ回動可能に配置したことを特徴とする。この構成によれば、ケーブルをボックスの下側で回路基板の前方、後方、下方のどの方向へも無理なく配線できる利点がある。なお、基板側コネクタとしては、Ｌ字形の接続導体（ピン又はソケット）を備えたコネクタを用いることができる。
【００１５】
請求項５の発明による遊技機は、回路基板が複数の機器の間で信号を中継する中継基板であることを特徴とする。中継基板としては、機内機器と機外機器との間で信号を中継する外部中継基板、主制御基板と遊技盤上の各種スイッチとの間で信号を中継する盤面中継基板、払出制御基板と賞球払出装置及び貸球払出装置との間で信号を中継する払出中継基板、センサと各種制御基板との間で信号を中継するセンサ中継基板など、信号中継回路を備えた比較的軽い回路基板を例示できる。
【００１６】
請求項６の発明による遊技機は、回路基板が特定の機器を制御する制御基板であることを特徴とする。制御基板としては、遊技機の各部装置を統括的に制御する主制御基板、賞球払出装置及び貸球払出装置を制御する払出制御基板、図柄表示器を制御する図柄制御基板、発射機構を制御する発射制御基板など、特定の機器を対象とする制御回路を備えた比較的重い回路基板を例示できる。
【００１７】
請求項７の発明による遊技機は、機体の外郭を形成する外枠の背面上部に外部中継基板を取り付け、外部中継基板に基板側コネクタを下向きに設け、ケーブルにケーブル側コネクタを設け、基板側コネクタとケーブル側コネクタとの間に屈曲型コネクタを介装し、屈曲型コネクタを回動可能に連結された一対のコネクタ素子で構成し、一方のコネクタ素子を基板側コネクタに上向きに接続し、他方のコネクタ素子を外部中継基板の下側で機体の前後方向へ回動可能に配置し、他方のコネクタ素子にケーブル側コネクタを接続し、ケーブルを外部中継基板と機内機器との間及び外部中継基板と機外機器との間に配線したことを特徴とする。
【００１８】
上記構成によれば、外枠の上部に取り付けられるがために、下側でケーブルを引っ掛けやすい外部中継基板において、この基板につながる一連の配線部品の損傷を効果的に抑制することができる。また、屈曲型コネクタの他方のコネクタ素子が外部中継基板の下側で機体の前後方向へ回動するので、ケーブルを外部中継基板より前方の機内機器にも、下方の機内機器にも、後方の機外機器にも無理なく配線でき、配線レイアウトの自由度が向上し、かつ配線作業も容易となる。しかも、外部中継基板が外枠に取り付けられるので、遊技盤や裏機構板を交換する場合でも、外部中継基板を外枠に残して継続使用できる利点もある。なお、外部中継基板に接続される機内機器としては払出制御基板を例示でき、機外機器としては遊技島設備側の機器を例示できる。また、主制御基板や払出制御基板等の機内機器を外部中継基板を介し遊技店の管理室に設置されたコンピュータに接続してもよい。
【００１９】
請求項８の発明による遊技機は、外部中継基板をボックスに収納し、ボックスを外枠の背面上部に取り付け、ボックスの蓋部に機体後方へ開口する窓孔を形成し、窓孔から基板側コネクタを下向きに露出させ、基板側コネクタに屈曲型コネクタの一方のコネクタ素子を上向きに接続し、屈曲型コネクタの他方のコネクタ素子をボックスの下側で機体の前後方向へ回動可能に配置したことを特徴とする。この構成によれば、外部中継基板をボックスを介して外枠に強固に取り付けることができるとともに、外部中継基板の信号中継回路をボックスの蓋部で損傷や塵埃から保護できる利点がある。
【００２０】
【発明の実施の形態】
以下、本発明の実施の形態を図面に基づいて説明する。
＜第１実施形態＞
図１〜図８は、本発明をパチンコ機の外部中継基板に具体化した第１実施形態を示すものである。図１に示すように、パチンコ機の機体１は、その外郭を形成する外枠２と、外枠２の内側に固定された裏機構板３とを備えている。裏機構板３の背面上部には遊技球タンク４が設置され、このタンク４の右側に外部中継基板５を収納したボックス６が設置されている。裏機構板３の背面下部には、主制御基板５１（図１６参照）を収納したボックス７と、払出制御基板（図示略）を収納したボックス８とが左右に並設されている。
【００２１】
図２、図３、図４に示すように、外部中継基板用のボックス６は本体部１１と蓋部１２とから構成され、本体部１１に外部中継基板５を収納する凹部１３が形成されている。外部中継基板５、本体部１１及び蓋部１２は、４隅の孔１４を貫通するネジ１５により一体に組み付けられ、かつ同じネジ１５で裏機構板３に固定的に取り付けられている。外部中継基板５には払出制御基板と遊技島設備側の機器との間で信号を中継する信号中継回路（図示略）が設けられ、この回路上に５個の基板側コネクタ１６が配設されている。
【００２２】
基板側コネクタ１６は外部中継基板５の板面と直角に機体１の後方（遊技島設備側）へ突出するように設けられ、ボックス６の蓋部１２に基板側コネクタ１６を露出させる５個の窓孔１７が形成されている。そして、各基板側コネクタ１６に屈曲型コネクタ１８を介してケーブル側コネクタ１９が接続され、図３において、左側２本のケーブル２０が外部中継基板５と払出制御基板との間に配線され、右側３本のケーブル２０は外部中継基板５と遊技島設備側の機器との間に配線される。
【００２３】
図５（ａ），（ｂ）に示すように、基板側コネクタ１６には雄型コネクタが用いられ、樹脂製のハウジング２２に複数本のピン２３と左右一対のピン側係合部２４とが設けられている。ケーブル側コネクタ１９には雌型コネクタが用いられ、樹脂製のハウジング２５に複数本のソケット２６と左右一対のソケット側係合部２７とが設けられている。屈曲型コネクタ１８は第１コネクタ素子２８と第２コネクタ素子２９とを軸３０で回動可能に連結して構成され、第１コネクタ素子２８が基板側コネクタ１６に接続され、第２コネクタ素子２９がケーブル側コネクタ１９に接続される。
【００２４】
第１コネクタ素子２８には雌型コネクタが用いられ、樹脂製のハウジング３１に、基板側コネクタ１６のピン２３に接続されるソケット３２と、基板側コネクタ１６のピン側係合部２４に弾性係合するソケット側係合部３３とが設けられている。第２コネクタ素子２９には雄型コネクタが用いられ、樹脂製のハウジング３４に、ケーブル側コネクタ１９のソケット２６に接続されるピン３５と、ケーブル側コネクタ１９のソケット側係合部２７に弾性係合するピン側係合部３６とが設けられている。そして、第１コネクタ素子２８のソケット３２と第２コネクタ素子２９のピン３５とは可撓性の導線３７により接続されている。
【００２５】
なお、図示例では、導線３７が外部に露出しているが、これを柔軟なカバーで覆ってもよい。各係合部２４，２７，３３，３６はピン及びソケットの接続保持部として機能するが、ケーブル２０を引っ掛けたときに容易に係合を解除できるように、係合部分を浅くしておくとよい。また、不正接続を予防するために、各ハウジング２２，２５，３１，３４を透明樹脂で成形してもよい。同じ観点から、基板側コネクタ１６を外部中継基板５の裏面に裏機構板３へ埋没する形態で設けてもよい。
【００２６】
上記構成の電気配線構造において、外部中継基板５にケーブル２０を配線する場合には、図６（ａ）に示すように、ボックス６に外部中継基板５を収納し、基板側コネクタ１６に屈曲型コネクタ１８の第１コネクタ素子２８を接続する。そして、図６（ｂ）に示すように、屈曲型コネクタ１８の第２コネクタ素子２９を下向きに回動し、これにケーブル側コネクタ１９を接続し、ケーブル２０を外部中継基板５と払出制御基板との間、及び、外部中継基板５と遊技島設備側の機器との間に配線する。こうすれば、ケーブル２０をそのコネクタ１９との接続部で無理に曲げることなく配線することができる。
【００２７】
保守点検作業に際し、作業者が誤ってケーブル２０を引っ掛けた場合には、図６（ｃ）に示すように、第２コネクタ素子２９が軸３０を中心にケーブル２０と一直線となるように回動して、ケーブル２０の折れ曲がりを防止する。また、ケーブル２０に大きな張力が作用した場合には、図６（ｄ）に示すように、第２コネクタ素子２９がケーブル２０と一直線の状態で、ケーブル側コネクタ１９が第２コネクタ素子２９から容易に引き抜かれる。従って、ケーブル２０につながる一連の配線部品、特に、後方へ張り出している基板側コネクタ１６に無理な力が作用せず、これらの部品の変形や外部中継基板５の回路破損を抑制することができる。
【００２８】
＜第２実施形態＞
図７、図８、図９は本発明をパチンコ機の外部中継基板に具体化した第２実施形態を示すものである。この実施形態では、外部中継基板５がボックス６に収納され、ボックス６が上端の水平軸４１により基板設置部材４２に対し機体１の前後方向へ回動可能に支持されている。基板設置部材４２は、ボックス６を収容する凹所４３を備え、４本のネジ４４で裏機構板３の背面上部に取り付けられている。収容部４３の底面には凸部４５が設けられ、ボックス６の本体部１１の下面には凹部４６が形成され、常態では、凹部４６と凸部４５の嵌合によりボックス６を基板設置部４２の内側に保持できるようになっている。
【００２９】
基板側コネクタ１６には複数本のＬ字形ピン４７が内装され、その短辺部は外部中継基板５の信号中継回路に半田付けされ、長辺部は外部中継基板５の板面と平行な状態で下向きに突設されている。そして、屈曲型コネクタ１８における第１コネクタ素子２８のソケット３２が基板側コネクタ１６のＬ字形ピン４７に上向きに接続されている。その他の構成は、第１実施形態とほぼ同様であり、図面に同一の符号を付してその説明を省略する。
【００３０】
この実施形態の遊技機において、図９（ａ）に示すように、ケーブル２０が斜め下方へ引っ張られると、屈曲型コネクタ１８の第２コネクタ素子２９が張力作用方向へ回動し、ケーブル２０の折れ曲がりを防止する。ケーブル２０がさらに引っ張られると、図９（ｂ）に示すように、屈曲型コネクタ１８が一直線に伸び、ボックス６がケーブル２０と平行となるように回動する。さらに大きな張力が作用すると、図９（ｃ）に示すように、ケーブル側コネクタ１９が第２コネクタ素子２９から引き抜かれるか、あるいは、第１コネクタ素子２８が基板側コネクタ１６から引き抜かれ、ケーブル２０が外部中継基板５から無理なく切り離される。
【００３１】
従って、この遊技機によれば、ケーブル２０に作用する張力を屈曲型コネクタ１８の回動とボックス６の回動とにより吸収し、ケーブル２０につながる一連の配線部品の損傷をより効果的に抑制することができる。また、基板側コネクタ１６が下向きに設けられているので、外部中継基板５の全体を薄く構成して、機体１の背面側における配線スペースを縮小できる利点もある。
【００３２】
図１０及び図１１は、第２実施形態の変更例を示すものである。ここでは、基板側コネクタ１６が、第１実施形態と同様に、外部中継基板５の板面と直角の向きで機体１の後方へ突設されている。この構成によれば、大きな張力が作用しても、ケーブル２０が何らかの原因で切り離されなかった場合に、ボックス６が回動して張力を緩和するので、基板側コネクタ１６の変形、特に、外部中継基板５の回路破損を未然に防止できる利点がある。
【００３３】
＜第３実施形態＞
図１２、図１３、図１４は本発明をパチンコ機の外部中継基板に具体化した第３実施形態を示すものである。ここでは、図１２（ａ），（ｂ）に示すように、外部中継基板５がボックス６に収納され、ボックス６は機体１の外郭を形成する外枠２の背面上部の右隅にブラケット４９で固定的に取り付けられている。なお、図１２（ｂ）は外枠２を機体１の正面側から見た図であり、図１２〜図１４において、第１実施形態と同一の符号はそれと同一の部材を示す。
【００３４】
図１３及び図１４に示すように、ボックス６は、第１実施形態と同様、本体部１１と蓋部１２とから構成され、蓋部１２に機体１の後方へ開口する窓孔１７が形成されている。基板側コネクタ１６は、第２実施形態と同様のＬ字形ピン４７（図８参照）を内蔵し、ボックス６の下部に位置するように外部中継基板５に突設され、窓孔１７から下向きに露出している。屈曲型コネクタ１８の第１コネクタ素子２８は基板側コネクタ１６に上向きに接続され、第２コネクタ素子２９はボックス６の下側で機体１の前後方向へ１８０°回動可能に配置され、この第２コネクタ素子２９にケーブル側コネクタ１９が接続されている。
【００３５】
そして、例えば、図１２（ｂ）に示す右側２つの第２コネクタ素子２９が、図１４（ａ）に示すように、機体１の前方又は下方に向けて回動され、２本のケーブル２０が外部中継基板５と払出制御基板との間に配線される。また、図１２（ｂ）に示す左側３つの第２コネクタ素子２９は、図１４（ｂ）に示すように、機体１の後方に向けて回動され、３本のケーブル２０が外部中継基板５と遊技島設備側の機器との間に配線される。
【００３６】
従って、このパチンコ機によれば、次のような作用効果が得られる。
（イ）ケーブル２０を外部中継基板５から機体１の前方、下方、後方へ無理なく配線できて、配線レイアウトの自由度が向上する。
（ロ）屈曲型コネクタ１８の第２コネクタ素子２９を作業者に向くように回動して、配線作業を正確かつ容易に行うことができる。
（ハ）保守点検作業に際しては、外部中継基板５の下側でケーブル２０を引っ掛けやすいが、第２コネクタ素子２９が１８０°の範囲で回動し、場合によってはケーブル２０が外部中継基板５から容易に切り離されるため、ケーブル２０につながる一連の配線部品の損傷を抑制できる。
（ニ）外部中継基板５をボックス６を介し外枠２に強固に取り付けでき、信号中継回路をボックス６の蓋部１２で損傷や塵埃から保護することもできる。
（ホ）機種変更又は故障等に際し、遊技盤や裏機構板３を交換する場合に、外部中継基板５を外枠２に残して継続使用可能とし、交換部品の点数を削減でき、配線作業を簡略化できる。
【００３７】
＜第４実施形態＞
図１５、図１６、図１７は本発明をパチンコ機の主制御基板に具体化した第４実施形態を示すものである。主制御基板５１を収納する前記ボックス７は、裏機構板３の背面に取り付けられるベース部５２と、ベース部５２に被さるカバー部５３とから構成されている。主制御基板５１、ベース部５２及びカバー部５３は４本のネジ５４により分解可能に組み付けられている。主制御基板５１の上側縁中央部には基板側コネクタ１６が機体１の後方へ突出するように設けられ、カバー部５３に基板側コネクタ１６を露出させる窓孔１７が形成されている。
【００３８】
そして、基板側コネクタ１６には屈曲型コネクタ１８の第１コネクタ素子２８が接続され、屈曲型コネクタ１８の第２コネクタ素子２９にケーブル側コネクタ１９が接続され、ケーブル２０が主制御基板５１と他の機内機器（例えば、図１に示す図柄制御基板１０）との間に配線されている。従って、この実施形態の構成によれば、図１７（ａ），（ｂ）に示すように、第２コネクタ素子２９の向きを変えることで、ケーブル２０を主制御基板５１から機体１の後方、上方、又は下方へ無理なく配線することができる。また、ケーブル２０を引っ掛けた場合には、第２コネクタ素子２９の回動によりケーブル２０の折れ曲がりを防止でき、大きな張力が作用した場合には、ケーブル２０を基板側コネクタ１６から切り離して、高価な主制御基板５１の回路破損を防止することができる。
【００３９】
＜請求項と実施形態との対応関係＞
ここで、請求項に記載された発明と上記各実施形態で開示された具体部材との対応関係について確認する。
請求項１の「機体」は、第１・第２・第４実施形態の裏機構板３に対応し、第３実施形態の外枠２に対応する。「回路基板」は、第１・第２・第３実施形態の外部中継基板５に対応し、第４実施形態の主制御基板５１に対応する。「一方のコネクタ素子」は、第１・第２・第３・第４実施形態の第１コネクタ素子２８に対応する。「他方のコネクタ素子」は、第１・第２・第３・第４実施形態の第２コネクタ素子２９に対応する。「他の機器」は、第１・第２・第３実施形態の払出制御基板、遊技島設備側の機器に対応し、第４実施形態の図柄制御基板１０に対応する。
請求項５の「中継基板」は、第１・第２・第３実施形態の外部中継基板５に対応する。
請求項６の「制御基板」は、第４実施形態の主制御基板５１に対応する。
請求項７の「機内機器」は、第１・第２・第３実施形態の払出制御基板に対応する。「機外機器」は、第１・第２・第３実施形態の遊技島設備側の機器に対応する。
【００４０】
なお、本発明は上記実施形態に限定されるものではなく、以下に例示するように、発明の趣旨から逸脱しない範囲で、各部の構成や形状を適宜に変更して実施することも可能である。
（１）第１、第２、第３実施形態の配線構造を、外部中継基板以外の中継基板、例えば、盤面中継基板、払出中継基板、センサ中継基板などに適用すること。
（２）第４実施形態の配線構造を、主制御基板以外の制御基板、例えば、払出制御基板、図柄制御基板、発射制御基板などに適用すること。
（３）回路基板を、ボックスに収納しないで、単独で外枠２又は裏機構板３の背面に取り付けること。
（４）基板側コネクタ及びケーブル側コネクタを共に雌型に構成し、屈曲型コネクタの一対のコネクタ素子を共に雄型に構成するなど、各コネクタの雌雄の型式を適宜に変更すること。
【図面の簡単な説明】
【図１】本発明の第１実施形態を示すパチンコ機の背面図である。
【図２】第１実施形態の基板取付構造を示す分解斜視図である。
【図３】第１実施形態の配線構造を示す斜視図である。
【図４】第１実施形態の配線構造を示す断面図である。
【図５】第１実施形態のコネクタ接続構造を示す立面図である。
【図６】第１実施形態の作用説明図である。
【図７】本発明の第２実施形態の配線構造を示す斜視図である。
【図８】第２実施形態の配線構造を示す断面図である。
【図９】第２実施形態の作用説明図である。
【図１０】第２実施形態の変更例を示す斜視図である。
【図１１】同変更例の配線構造を示す断面図である。
【図１２】本発明の第３実施形態を示す外枠の外観図である。
【図１３】第３実施形態の配線構造を示す斜視図である。
【図１４】第３実施形態の作用説明図である。
【図１５】本発明の第４実施形態の配線構造を示す斜視図である。
【図１６】第４実施形態の基板取付構造を示す分解斜視図である。
【図１７】第４実施形態の作用説明図である。
【符号の説明】
１　　機体
２　　外枠
３　　裏機構板
５　　外部中継基板
６　　ボックス（外部中継基板用）
７　　ボックス（主制御基板用）
８　　ボックス（払出制御基板用）
１０　　図柄制御基板
１６　　基板側コネクタ
１７　　窓孔
１８　　屈曲型コネクタ
１９　　ケーブル側コネクタ
２０　　ケーブル
２８　　第１コネクタ素子
２９　　第２コネクタ素子
５１　　主制御基板
【図１】
2004113556.tif 000003
【図２】
2004113556.tif 000004
【図３】
2004113556.tif 000005
【図４】
2004113556.tif 000006
【図５】
2004113556.tif 000007
【図６】
2004113556.tif 000008
【図７】
2004113556.tif 000009
【図８】
2004113556.tif 000010
【図９】
2004113556.tif 000011
【図１０】
2004113556.tif 000012
【図１１】
2004113556.tif 000013
【図１２】
2004113556.tif 000014
【図１３】
2004113556.tif 000015
【図１４】
2004113556.tif 000016
【図１５】
2004113556.tif 000017
【図１６】
2004113556.tif 000018
【図１７】
2004113556.tif 000019